(57)【要約】      （修正有）【課題】大掛かりな工事を行うことなく容易に設置することができ、しかも通行の障害となったり周囲の景観を損ねたりすることを抑制できる照明装置を提供する。【解決手段】横長箱状のケーシング７と、ケーシング７の上板７ａに配置され光エネルギーを電気エネルギーに変換する太陽電池１３と、ケーシング７内に配置され太陽電池１３によって変換された電気エネルギーを蓄電する蓄電池と、ケーシング７の外部に光を投光する発光ダイオード１５とを備える。さらに、ケーシング７内に配置され蓄電池に蓄えられた電気エネルギーを使用して発光ダイオード１５を発光させる発光制御基板と、ケーシング７を歩道の縁に立設されたガードパイプのビーム材に取付ける取付部材１２とを具備する。【選択図】図２
0003176647.tif 000002
【実用新案登録請求の範囲】
【請求項１】
横長箱状のケーシングと、
該ケーシングの表面に現れて配置され、光エネルギーを電気エネルギーに変換する太陽電池と、
前記ケーシング内に配置され、前記太陽電池によって変換された前記電気エネルギーを蓄電する蓄電池と、
前記ケーシングの外部に光を投光する発光ダイオードと、
前記ケーシング内に配置され、前記蓄電池に蓄電された前記電気エネルギーを使用して前記発光ダイオードを発光させる発光制御手段と、
前記ケーシングを、歩道の縁に立設されたガードパイプのビーム材に取付ける取付部材と
を具備することを特徴とする照明装置。
【請求項２】
前記太陽電池は、前記ケーシングの所定の面である第一面に配置され、
前記発光ダイオードは、前記ケーシングにおける前記第一面とは反対側の第二面から光を投光するとともに、前記第一面に対して傾いて配置された基板に取付けられている
ことを特徴とする請求項１に記載の照明装置。
【請求項３】
前記取付部材は、前記ケーシングの前記第一面に対して垂直な第三面に配置され、前記ビーム材が挿通されるとともに、該ビーム材の挿通方向が前記ケーシングの長手方向に一致する挿通部を有し、
前記ケーシングの長手方向の両端面は、前記ケーシングにおける前記第三面とは反対側の第四面に向かって内側に傾斜している
ことを特徴とする請求項２に記載の照明装置。
【考案の詳細な説明】
【技術分野】
【０００１】
本考案は、照明装置に関するものであり、特に、歩道を照らす照明装置に関するものである。
【背景技術】
【０００２】
街灯の少ない歩道では、夜間における視認性が大幅に低下し、特に、薄暗く人通りの少ない道では、歩行者が犯罪に巻き込まれる可能性も高くなることから、歩道に照明装置を設置することが要望されている。
【０００３】
この種の照明装置の一つとして、例えば特許文献１に示すものが提案されている。これは、歩道の通行方向側部に配置されて通行面を照明するものであり、光源及び反射部材を有する灯体と、歩道に立設され灯体を支持する脚部とを有し、灯体が歩道側に突出するように全体が逆Ｌ字状に形成されている。
【考案の概要】
【考案が解決しようとする課題】
【０００４】
しかし、上記の照明装置では、設置する際、照明装置の脚部を歩道に固定しなければならず、しかも商用電源から電力を供給しなければならないため、大掛かりな工事が必要となり、金銭的な負担が大きくなっていた。また、照明装置の脚部が歩道の通行方向側部に立設され、灯体が歩道側に突出して配置されているため、歩行の際に躓いたり、歩行の障害となったりするおそれがあった。さらに、照明装置は歩道の通行面から突出して配置されるため、その存在が目立ってしまい、周囲の景観を損ねるおそれもあった。
【０００５】
そこで、本考案は、上記の実状に鑑み、大掛かりな工事を行うことなく容易に設置することができ、しかも通行の障害となったり周囲の景観を損ねたりすることを抑制できる照明装置の提供を課題とするものである。
【課題を解決するための手段】
【０００６】
本考案にかかる照明装置は、
「横長箱状のケーシングと、
該ケーシングの表面に現れて配置され、光エネルギーを電気エネルギーに変換する太陽電池と、
前記ケーシング内に配置され、前記太陽電池によって変換された前記電気エネルギーを蓄電する蓄電池と、
前記ケーシングの外部に光を投光する発光ダイオードと、
前記ケーシング内に配置され、前記蓄電池に蓄電された前記電気エネルギーを使用して前記発光ダイオードを発光させる発光制御手段と、
前記ケーシングを、歩道の縁に立設されたガードパイプのビーム材に取付ける取付部材と
を具備する」
ことを特徴とするものである。
【０００７】
ここで、「太陽電池」は、ケーシングの外面（例えば上面）に外側から取付けてもよく、ケーシング内に配置しケーシングに形成された窓部を通して露呈させるようにしてもよい。また「発光ダイオード」は、ケーシングの外面（例えば底面）に取付けてもよいが、ケーシング内に配置するとともに、ケーシングの少なくとも一部を光透過性の部材で形成し、発光ダイオードから放射された光を光透過性の部材を介して外部に投光するようにしてもよい。
【０００８】
また、「ビーム材」とは、ガードパイプにおいて、隣り合う支柱部材同士を繋ぐように略水平方向に横設されたパイプ状の部材である。
【０００９】
本考案によれば、横長箱状のケーシングが、取付部材によってガードパイプのビーム材に取付けられる。このため、ケーシングを所定の高さに固定するための支柱や脚部が不要となり、歩行者が躓いたり歩行の障害となったりすることを抑制できる。また、従来のような大掛かりな工事が不要となり、極めて簡単に設置することが可能となる。
【００１０】
また、ケーシングが取付けられるビーム材は、略水平方向に横設されているため、ケーシングの長手方向とビーム材の長手方向とを一致させることが可能であり、その場合、ケーシングはビーム材に沿って装着された状態となる。したがって、ケーシング及びビーム材の一体感が高められ、ひいては歩行者に違和感を与えたり周囲の景観を損ねたりすることが抑制される。さらに、このように取付けた場合には、ケーシングの長手方向が、歩道の通行方向にも一致するため、歩道を効率よく照らすことが可能となる。
【００１１】
また、ケーシングには太陽電池及び蓄電池が備えられており、太陽電池によって生成された電気エネルギーが一旦蓄電池に蓄えられ、その電気エネルギーを使用して発光ダイオードを発光させている。このため、商用電源を供給するための配線工事を行うことなく容易に設置でき、金銭的な負担を大幅に軽減することが可能になる。また、無尽蔵の自然エネルギーである太陽光を使い、また二酸化炭素も排出しないことから、エネルギー問題及び環境問題にも貢献できる。
【００１２】
本考案にかかる照明装置は、上記の構成に加え、
「前記太陽電池は、前記ケーシングの所定の面である第一面に配置され、
前記発光ダイオードは、前記ケーシングにおける前記第一面とは反対側の第二面から光を投光するとともに、前記第一面に対して傾いて配置された基板に取付けられている」ものとすることができる。
【００１３】
本考案によれば、発光ダイオードは、太陽電池が配置された第一面とは反対側の第二面から光を投光する。また、発光ダイオードを取付ける基板は、第一面に対して傾いて配置されている。このため、第一面が上面となるように、ビーム材にケーシングを取付ければ、太陽電池をケーシングの上面側に配置し、発光ダイオードから放射された光を、ビーム材の斜め下方、すなわち歩道の通行面に向かって投光することが可能となる。これによれば、太陽電池の発電効率を比較的高く保つとともに、歩行者に眩しさを与えることなく歩道の通行面を効率よく照らすことが可能となる。特に斜め下方に光を投光することから、光が照射される領域が歩道の幅方向に広がり、例えば歩道の道幅全体を照らすことも可能になる。
【００１４】
また、本考案にかかる照明装置は、上記の構成に加え、
「前記取付部材は、前記ケーシングの前記第一面に対して垂直な第三面に配置され、前記ビーム材が挿通されるとともに、該ビーム材の挿通方向が前記ケーシングの長手方向に一致する挿通部を有し、
前記ケーシングの長手方向の両端面は、前記ケーシングにおける前記第三面とは反対側の第四面に向かって内側に傾斜している」ものとすることができる。
【００１５】
本考案によれば、取付部材は、ビーム材が挿通される挿通部を有している。この挿通部は、太陽電池が配置された第一面に対して垂直となる第三面に設けられ、ビーム材の挿通方向がケーシングの長手方向に一致している。このため、ビーム材を挿通部に挿通させ、第一面が上側となるように取付けると、ケーシングは、ビーム材の長手方向に沿って配置されるとともに、ビーム材から歩道側水平方向に突出して配置される。これによれば、歩道の通行面を照射する光量を高めるとともに、発光ダイオードから投光された光が、ガードパイプによって遮られることもない。このため、通行面を効率よく照らすことが可能となる。
【００１６】
ところで、ケーシングが歩道側水平方向に突出して設置されると、歩行者の体や服がケーシングに引っ掛かるおそれがある。これに対し、本考案では、ケーシングの長手方向の両端面は、第三面（挿通部が設けられた面）とは反対側の第四面に向かって内側に傾斜している。このため、歩行者が通行方向に歩く際に、ケーシングの長手方向の端面に接触することがあっても、その端面の傾斜に沿って第四面側（すなわちビーム材から離れる側）に案内され、ひいては引っ掛かりを抑制することが可能となる。
【考案の効果】
【００１７】
このように、本考案の照明装置によれば、大掛かりな工事を行うことなく容易に設置することができる。また、歩行者が躓いたり歩行の障害となったりすることを抑制できる。さらに周囲の景観を損ねることがなく、歩道を効率よく照らすことができる。
【図面の簡単な説明】
【００１８】
【図１】本実施形態の照明装置の使用状態を示す斜視図である。
【図２】（ａ）は照明装置を歩道側上方から見た斜視図であり、（ｂ）は照明装置を歩道側下方から見た斜視図である。
【図３】（ａ）は照明装置の縦断面図であり、（ｂ）は照明装置の平面図である。
【考案を実施するための形態】
【００１９】
以下、本実施形態の照明装置１について、図１乃至図３に基づき説明する。なお、本実施形態に記載された「右」及び「左」は、ガードパイプ２に取付けられた照明装置１を歩道５側から見た場合の方向である。図１に示すように、照明装置１は、既設のガードパイプ２のビーム材３に取付けられて使用されるものである。ガードパイプ２は、例えば車道（図示しない）と歩道５との間に立設されており、車両の逸脱防止及び歩行者の横断防止を目的として設けられている。また、歩行者が用水や側溝へ転落しないように歩道５の縁に立設される場合もある。この種のガードパイプ２は、一般に、所定の間隔で一列に並ぶように配置された複数の支柱部材４と、隣り合う支柱部材４を繋ぐように水平方向に横設されたパイプ状のビーム材３とを備えている。
【００２０】
本実施形態の照明装置１は、図２及び図３に示すように、ケーシング７と、ケーシング７の表面に現れて配置された太陽電池１３と、ケーシング７内に配置された蓄電池１４と、ケーシング７の外部に光を投光する発光ダイオード１５と、ケーシング７を貫通し太陽電池１３の右側に露呈して配置された光センサ１７と、ケーシング７内に配置された発光制御基板１８と、ケーシング７をガードパイプ２のビーム材３に取付ける取付部材１２とから構成されている。以下、各構成について詳細に説明する。
【００２１】
ケーシング７は、横長箱状であり、上板７ａ、前板７ｃ、左側板７ｄ、右側板７ｅ、及び後板７ｆを有し、底部が開放された箱体８と、箱体８の開放部分を塞ぐ底板９とから構成されている。箱体８は、光を通さない白色の樹脂で一体的に形成されており、前板７ｃにおける横幅（左右方向の長さ）が後板７ｆの横幅よりも短くなるように、平面視形状（すなわち上板７ａの形状）が台形となっている。換言すれば、ケーシング７の長手方向の両端面である左側板７ｄ及び右側板７ｅが後板７ｆ側から前板７ｃ側に向かって内側に傾斜しており、左側板７ｄ及び右側板７ｅと前板７ｃとの挟角がそれぞれ鈍角（例えば１３５度）となっている。また、上板７ａには、横幅が前板７ｃとほぼ等しく、且つ奥行が上板７ａの大部分を占める大きさの凹部８ａが形成されており、その凹部８ａに後述する太陽電池１３が嵌め込まれている。ここで、上板７ａの外面が本考案の第一面に相当し、後板７ｆの外面が本考案の第三面に相当し、前板７ｃの外面が本考案の第四面に相当し、左側板７ｄ及び右側板７ｅの外面が本考案の両端面に相当する。
【００２２】
一方、底板９は箱体８の底縁に接着されており、上板７ａと同様に台形の形状を呈する。この底板９は、透明の樹脂で形成され、後述する発光ダイオード１５から放射された光を透過させることが可能になっている。なお、底板９の上側には所定の隙間を介して不透明の仕切板１０が備えられており、箱体８の内部が露呈しないように構成されている。仕切板１０は、前側ほど高くなるように前後方向に傾斜して形成されており、上下方向に貫通する複数の孔部（図示しない）が所定の間隔で横並びに穿設されている。ここで、底板９の外面が本考案の第二面に相当する。
【００２３】
太陽電池１３は、ケーシング７の凹部８ａに上側から嵌め込まれ、光エネルギーを電気エネルギーに変換する。蓄電池１４は、太陽電池１３に対して電気的に接続され、太陽電池１３によって生成された電気エネルギーを蓄電する。また、発光ダイオード１５は、複数個（本実施形態では３個）設けられており、発光基板１６に所定の間隔で一列に配置されている。発光基板１６は、仕切板１０の上面に取付けられ、発光基板１６に搭載された複数の発光ダイオード１５が、仕切板１０の孔部に上側から嵌挿されている。なお、上述したように仕切板１０は前側ほど高くなるように傾斜しているため、発光基板１６も傾斜した状態で取付けられる。ここで、発光基板１６が本考案の基板に相当する。
【００２４】
また、光センサ１７は、入射された光の明るさに応じた信号を出力するものであり、ケーシング７の上板７ａを貫通し、太陽電池１３の右側に露呈して配置されている。発光制御基板１８は、光センサ１７の出力に基づいて周囲が暗くなったことを判別すると、蓄電池１４に蓄電された電気エネルギーを使用して発光ダイオード１５を発光させるものである。具体的には回路を開閉するトランジスタ等を備えており、光センサ１７の出力が所定値以下のとき蓄電池１４と発光基板１６とを繋ぐ回路を閉じるように構成されている。ここで、発光制御基板１８が本考案の発光制御手段に相当する。
【００２５】
一方、取付部材１２は、ケーシング７の後板７ｆにネジ（図示しない）を介して取付られ、ケーシング７よりも左右方向に延出する金属製のベース板２４と、ベース板２４の左右両側の背面にそれぞれ係止部２６を介して取着された金属製の前側バンド部２７と、前側バンド部２７に対向して配置され、その上端側及び下端側に設けられたボルト２９及びナット３０によって前側バンド部２７との間隔を調整可能な金属製の後側バンド部２８とから構成されている。つまり、ボルト２９とナット３０とを分離させた状態（すなわち後側バンド部２８を取外した状態）で、前側バンド部２７における円弧状の凹部２７ａを歩道５側からビーム材３に突き当てるとともに、後側バンド部２８の円弧状の凹部２８ａを車道側からビーム材３に突き当て、その後、後側バンド部２８及び前側バンド部２７を貫通してボルト２９及びナット３０を螺合させることにより、後側バンド部２８及び前側バンド部２７によってビーム材３が挟持され、ケーシング７がビーム材３に取付けられるようになっている。ここで、前側バンド部２７及び後側バンド部２８を組み合わせたものが本考案の挿通部に相当する。つまり、前側バンド部２７及び後側バンド部２８の間にビーム材３が挿通されるとともに、そのビーム材３の挿通方向がケーシング７の長手方向に一致している。このため、上板７ａが上面となるように、ビーム材３を前側バンド部２７及び後側バンド部２８の間に挿通させ、上板７ａが上側となるように取付けると、ケーシング７は、ビーム材３の長手方向に沿って配置されるとともに、ビーム材３から歩道５側の水平方向に突出して配置される。
【００２６】
なお、係止部２６は、円環状の部材であり、ベース板２４の延出部分に穿設された開口２５を通して螺合されるネジ部材２６ａによって前側バンド部２７に連結されている。また、右側の開口２５は切欠となっており、係止部２６及び前側バンド部２７を左右方向に摺動させること、すなわち左右一対の前側バンド部２７の間隔を調節することが可能になっている。また、図示していないが、前側バンド部２７及び後側バンド部２８をビーム材３に締め付ける際、ビーム材３に傷が付かないように、前側バンド部２７及び後側バンド部２８の表面には、樹脂の被覆層が設けられている。
【００２７】
このように、本実施形態の照明装置１によれば、ケーシング７が既設のガードパイプ２に取付けられるため、ケーシング７を所定の高さに固定するための支柱や脚部が不要となり、歩行者が躓いたり歩行の障害となったりすることを抑制できる。また、支柱を地面に立設させるなどの大掛かりな工事が不要となり、極めて簡単に設置することができる。
【００２８】
また、本実施形態の照明装置１によれば、ケーシング７の長手方向とビーム材３の長手方向とを一致させ、ケーシング７をビーム材３に沿って装着することが可能となるため、ケーシング７とビーム材３との一体感を高めることができる。特に、ケーシング７の色が、一般的なビーム材３の色と同色であるため、ケーシング７を目立たせないようにすることができ、ひいては歩行者に違和感を与えたり周囲の景観を損ねたりすることを抑制できる。さらに、ケーシング７の長手方向を、歩道５の通行方向に一致させることも可能になり、歩道５を効率よく照らすことが可能となる。
【００２９】
また、本実施形態の照明装置１によれば、太陽電池１３によって生成された電気エネルギーを使用して発光ダイオード１５を発光させるため、商用電源を供給するための配線工事を行うことなく容易に設置でき、金銭的な負担を大幅に軽減することが可能となる。
【００３０】
また、本実施形態の照明装置１によれば、上板７ａが上側となるように、ビーム材３にケーシング７を取付ければ、発光ダイオード１５から放射された光を、歩道５の通行面６に向かって投光することが可能となる。これによれば、歩行者に眩しさを与えることなく歩道５の通行面６を効率よく照らすことが可能となる。特に斜め下方に光を投光することから、光が照射される領域が歩道５の幅方向に広がり、例えば歩道５の道幅全体を照らすことも可能になる。
【００３１】
さらに、本実施形態の照明装置１によれば、ケーシング７の左側板７ｄ及び右側板７ｅは、前板７ｃ側に向かって内側に傾斜しているため、歩行者が通行方向に歩く際に、ケーシング７の左側板７ｄまたは右側板７ｅに接触することがあっても、左側板７ｄまたは右側板７ｅの傾斜に沿って前板７ｃ側（すなわちビーム材３から離れる側）に案内され、ひいては引っ掛かりを抑制することが可能となる。
【００３２】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００３３】
すなわち、上記実施形態では、前側バンド部２７と後側バンド部２８とを、上端側及び下端側に設けられたボルト２９及びナット３０によって締め付けるものを示したが、上端側及び下端側のいずれか一方をヒンジ結合とし、他方側のみをボルト２９及びナット３０によって締め付けるように構成してもよい。
【００３４】
また、上記実施形態では、光センサ１７を備え、光センサ１７の出力が所定値以下のとき蓄電池１４と発光基板１６とを繋ぐ回路を閉じるようにしたものを示したが、タイマー（図示しない）を備え、設定された開始時刻（例えば夕刻）に上記の回路を閉じ、設定された終了時刻（例えば早朝）に回路を開くようにしてもよい。また、スイッチ手段（図示しない）を備え、手動操作によって上記の回路を開閉するようにしてもよい。
【００３５】
また、上記実施形態では、ケーシング７をビーム材３から歩道５側水平方向に突出するように取付けるものを示したが、太陽電池１３が配置された上板７ａが車道側を向き、光が投光される底板９が歩道５側を向くように、ケーシング７をビーム材３に吊り下げるようにしてもよい。
【００３６】
さらに、上記実施形態では、ケーシング７の底板９を通して光を投光するものを示したが、左側板７ｄ及び右側板７ｅからも光を投光するようにしてもよい。これによれば、ビーム材３を照らし、ビーム材３の視認性を高めることが可能となる。
【００３７】
また、上記実施形態では、発光ダイオード１５の個数を三個とするものを示したが、二個としてもよい。これによれば、照明装置１における消費電力が低減され、点灯時間を長くすることが可能になる。また、発光ダイオード１５から放射された光をレンズ（例えば半円弧状のレンズ）を介して投光するようにしてもよく、これによれば、光線が収束され、通行面６をスポット的に照らすことが可能となる。
【符号の説明】
【００３８】
１  照明装置
２  ガードパイプ
３  ビーム材
５  歩道
６  通行面
７  ケーシング
７ａ  上板（第一面）
７ｃ  前板（第四面）
７ｄ  左側板（端面）
７ｅ  右側板（端面）
７ｆ  後板（第三面）
９  底板（第二面）
１２  取付部材
１３  太陽電池
１４  蓄電池
１５  発光ダイオード
１６  発光基板（基板）
１８  発光制御基板（発光制御手段）
２７  前側バンド部（挿通部）
２８  後側バンド部（挿通部）
【先行技術文献】
【特許文献】
【００３９】
【特許文献１】特開２００７−３１７６２２号公報
【図１】
0003176647.tif 000003
【図２】
0003176647.tif 000004
【図３】
0003176647.tif 000005